(57)【要約】【課題】電気機器による資源の消費量が金額で見える形にし、省エネに対する使用者の意識を高めることができる電気機器を提供する。【解決手段】本体１５の運転によって消費される資源の量を計測する計測回路１３と、前記計測回路１３によって計測された前記資源の消費量を基に光熱費を演算する演算回路１４と、演算された前記光熱費を表示する液晶パネル１１を備えたもので、使用者が行った省エネに対する取組みの努力が、光熱費という金額で一目瞭然に解るので、省エネに対する使用者の努力の効果が見える形にでき、省エネに対する使用者の意識を高め、持続でき、より一層電気機器の消費資源量を削減でき、環境負荷が低減できるようになる。【選択図】図１
2006010377.tif 000002
【特許請求の範囲】
【請求項１】
電気機器の運転によって消費される資源の量を計測する計測手段と、前記計測手段によって計測された前記資源の消費量を基に光熱費を演算する演算手段と、演算された前記光熱費を表示する表示手段を備えた電気機器。
【請求項２】
資源とは、電気、水、ガス、石油、洗剤の少なくとも一つを言う請求項１記載の電気機器。
【請求項３】
所定期間の光熱費を表示手段に表示するようにした請求項１または２に記載の電気機器。
【請求項４】
リアルタイムに光熱費を表示手段に表示するようにした請求項１〜３のいずれか１項に記載の電気機器。
【発明の詳細な説明】
【技術分野】
【０００１】
本発明は、光熱費を表示する機能を有する電気機器に関するものである。
【背景技術】
【０００２】
近年、電気機器に対して、その使用による環境負荷の低減が求められるようになってきた。そのため、電気機器によって消費される電気、水道、ガス、石油、洗剤等の資源の消費量を削減する必要があり、メーカには電気機器の改善が要求され、各種の電気機器は、色々な工夫がされ、省エネルギー対策が施されてきた（例えば、特許文献１参照）。同時に、電気機器を使用する使用者にも、省エネの効果をより向上させるために、省エネに対する意識の向上や、電気機器を上手く使うことが、求められるようになってきた。
【特許文献１】特開２００４−１０５２６６号公報
【発明の開示】
【発明が解決しようとする課題】
【０００３】
しかしながら、従来の電気機器では、使用者が省エネに対する取組みの効果を知る方法として、メーカのカタログ等に表示された光熱費や、水道水の使用量などでおよその効果は解るものの、ダイレクトに効果を知らせるものはなかった。
【０００４】
従来の電気機器は、使用する運転コースや行程、残時間表示等の機能を有していたが、光熱費を直接表示する機能は有していなかった。そのため、使用者の省エネに対する努力が、どれだけの効果があるか解らず、使用者が省エネに対する意識を高く持ち続けることが難しかった。それ故、メーカに、使用者の努力が見える形にすることも求められるようになった。
【０００５】
本発明は、使用者の省エネの努力を見える形にし、省エネに対する使用者の意識を高め、それを持続させることができる電気機器を提供することを目的としている。
【課題を解決するための手段】
【０００６】
上記従来の課題を解決するために、本発明の電気機器は、電気機器の運転によって消費される資源の量を計測する計測手段と、前記計測手段によって計測された前記資源の消費量を基に光熱費を演算する演算手段と、演算された前記光熱費を表示する表示手段を備えたもので、使用者が行った省エネに対する取組みの努力が、光熱費という金額で、一目瞭然に解るようになり、省エネに対する使用者の意識を高め、持続できる。よって、より一層、電気機器の消費資源量を削減でき、環境負荷が低減できるようになる。
【発明の効果】
【０００７】
本発明の電気機器は、使用者が行った省エネに対する取組みの努力が、光熱費という金額で一目瞭然に解るようになり、省エネに対する使用者の意識を高め、持続できる。よって、より一層、電気機器の電気、水道、ガス、石油、洗剤等の消費資源量を削減でき、環境負荷が低減できるようになる。
【発明を実施するための最良の形態】
【０００８】
第１の発明は、電気機器の運転によって消費される資源の量を計測する計測手段と、前記計測手段によって計測された前記資源の消費量を基に光熱費を演算する演算手段と、演算された前記光熱費を表示する表示手段を備えたもので、使用者が行った省エネに対する取組みの努力が、光熱費という金額で、一目瞭然に解るようになり、省エネに対する使用者の意識を高め、持続できる。よって、より一層、電気機器の消費資源量を削減でき、環境負荷が低減できるようになる。
【０００９】
第２の発明は、特に、第１の発明の資源とは、電気、水、ガス、石油、洗剤の少なくとも一つとするもので、複数の資源を使う電気機器では、使用者の省エネに対する取組みの効果が、どの資源に対して効果があったのか、どの資源に対して効果が弱いのかが良く解り、取組みに対しての目標がはっきりする。また、消費資源量トータルでの効果も解る。
【００１０】
第３の発明は、とくに、第１又は第２の発明の電気機器は、所定期間の光熱費を表示手段に表示するようにしたもので、使用者の省エネに対する取組みの効果が、継続的に解るようになる。
【００１１】
第４の発明は、特に、第１〜３のいずれか1つの発明の光熱費をリアルタイムで表示手段に表示するようにしたもので、よりダイレクトに使用者の省エネへの取組みへの意識を向上させる事ができる。
【００１２】
以下、本発明の実施の形態について、図面を参照しながら説明する。なお、この実施の形態によって本発明が限定されるものではない。
【００１３】
（実施の形態１）
電気機器として、食器洗い機、洗濯機、エアコン、ガスオーブン、石油ストーブ等色々あるが、以下に、食器洗い機を例にして、本発明の第１の実施の形態を、図１、２を用いて説明する。
【００１４】
図１は、本実施の形態における食器洗い機の断面図、図２は、同食器洗い機に設けた制御パネルの平面図である。
【００１５】
図１に示すように、食器洗い機の本体１５は、内部に洗浄槽１を配設し、洗浄槽１内部に食器類２をセットする食器カゴ３が配設され、洗浄槽１の内面底部に湯沸し用のヒータ４と、洗浄水を噴射する洗浄ノズル５を回転自在に配設している。洗浄槽１の外面の底部に送風手段６を設けている。
【００１６】
また、洗浄槽１前面に開口部１ａを設け、開口部１ａを扉体７により開閉している。前面の扉体７には制御パネル８を配設している。
【００１７】
図２に示すように、制御パネル８には、食器洗い機を動作させるスイッチ９、行程を選択するスイッチ１０、光熱費を表示する表示手段として液晶パネル１１を設けている。光熱費の表示は、切替えスイッチ１２により、運転終了後表示、リアルタイム表示、所定期間の表示が選択できるようになっている。また、扉体７には、食器洗い機で消費される電力、水量を計測する計測手段として計測回路１３と、計測回路１３によって計測された値を基に光熱費を計算する演算手段として演算回路１４が設けられている。
【００１８】
次に、食器洗い機の基本的な動作を以下に簡単に述べる。
【００１９】
まず、使用者が扉体７を開放し、洗浄槽１内に配置された食器カゴ３に汚れた食器類２をセットする。つぎに、扉体７を閉め、制御パネル８に設けられた、食洗の運転コース、光熱費の表示方法を選択しスイッチ１０、１２によって切替える。次に、動作スイッチ９をＯＮし、運転を開始する。運転中は洗浄槽１の内面の底部に配置されたヒータ４によって洗浄水を加熱しながら、洗浄ノズル５から食器類２に向かって噴射し、食器類２の汚れを落とす洗浄行程が行なわれる。
【００２０】
その後、食器類２をすすぐ、すすぎ行程を行う。次に、ヒータ４をＯＮし、送風手段６を駆動することによって、食器類２を乾かす乾燥行程を行い、運転を終了する。運転終了後に、食器洗い機の運転中に消費した電力量、水量は、計測回路１３によって計測され、計測された値を基に演算回路１４によって光熱費が計算され、その計算された光熱費が扉体７に設けられた液晶パネル１１に表示される。
【００２１】
これにより、使用者が行った省エネに対する取組みの努力が、光熱費という金額で、一目瞭然に解るものである。また、従来の電気機器では、使用者が使用の度に屋外に設置された電気メータ、水道メータなどを確認し、料金表で費用に換算しないと光熱費が解らなかったが、その手間も省け、使用者が継続して、省エネに対する取組みがし易くなるという効果もある。
【００２２】
また、使用者が電気機器を使う度に、電気機器の消費資源量の削減ができるということ、即ち、光熱費が下がるということは、使用者の家庭の家計の節約効果にもなる。よって、省エネに対する使用者の努力の効果が見える形にできるので、省エネに対する使用者の意識を高め、持続できる。それ故、使用者の省エネに対する効果を上げ、より一層、電気機器の、消費資源量を削減でき、環境負荷が低減できるようになる。
【００２３】
また、電気機器の運転によって、発生する所定期間の光熱費を表示できるようにしたことにより、使用者の省エネに対する取組みの効果が、継続的に解るものである。この所定期間ごとの光熱費が解るということは、使用者が次の期間の省エネの目標が立てやすく、省エネの目標が、そのまま家計の光熱費の節約目標となり、より一層、省エネに対する意識を向上させることができる。
【００２４】
また、リアルタイムに光熱費を表示できるようにしたことにより、より、ダイレクトに使用者の取組みへの意識を向上させるものである。何故なら、電気機器を使うことによって、光熱費が上がる過程を逐一、使用者自身が見ることになり、消費資源量の使用が、家計の出費につながるということと連動し、ムダを省きたいという思いにつながり、省エネに対する意識向上につながる。
【産業上の利用可能性】
【００２５】
以上のように、本発明にかかる電気機器は、消費する資源の光熱費を表示できるようにしたことにより、使用者の省エネに対する意識を高め、持続させ、より省エネに対する効果を上げ、その結果、電気機器の、電気、水道、ガス、洗剤等の消費資源量を削減でき、環境負荷が低減できるので、資源を消費するあらゆる機器、装置に適用できる。
【図面の簡単な説明】
【００２６】
【図１】本発明の実施の形態１における食器洗い機の断面図
【図２】同食器洗い機の制御パネルの平面図
【符号の説明】
【００２７】
１１  液晶パネル（表示手段）
１３  計測回路（計測手段）
１４  演算回路（演算手段）
１５  本体
【図１】
2006010377.tif 000003
【図２】
2006010377.tif 000004